(57)【要約】【課題】  全世界の各主要な国家又は都市の相対的な時間を把握できること。【解決手段】  ハウジングと、時計心部と、時刻表示用ディスクと、分針と、秒針と、秒リングと、時間帯リングと、ガラス・カバーとから構成された時計装置であって、前記時計心部はハウジング内に設置され、第一、二、三軸心はハウジングの上面に突出し時計方向へ回転し、時刻表示用ディスクと分針と秒針とがそれぞれ前記第一、二、三軸心に取付けられ、且つ前記時刻表示用ディスクには時目盛が反時計方向に順序に排列され、また、前記ハウジングの上面には秒リングと時間帯リングとが設けてあり、前記秒リングには秒目盛が表示してあり、前記時間帯リングには２４個の時間帯目盛が表示してあり、各時間帯目盛には代表的な国家や都市の名称が表示してあり、各時間帯目盛の中央には指示点が表示してあり、ガラス・カバーがハウジングをカバーする。【選択図】  図１
0003112584.tif 000002
【実用新案登録請求の範囲】
【請求項１】
ハウジングと、時計心部と、時刻表示用ディスクと、分針と、秒針と、秒リングと、時間帯リングと、ガラス・カバーとから構成された時計装置であって、
前記時計心部はハウジング内に設置され、第一、二、三軸心はハウジングの上面に突出し時計方向へ回転し、時刻表示用ディスクと分針と秒針とがそれぞれ前記第一、二、三軸心に取付けられ、且つ前記時刻表示用ディスクには時目盛が反時計方向に順序に排列され、
前記ハウジングの上面には秒リングと時間帯リングとが設けてあり、
前記秒リングには秒目盛が表示してあり、
前記時間帯リングには２４個の時間帯目盛が表示してあり、
各時間帯目盛には代表的な国家や都市の名称が表示してあり、
各時間帯目盛の中央には指示点が表示してあり、
且つガラス・カバーがハウジングをカバーすることを特徴とする、
時計装置。
【請求項２】
前記時刻表示用ディスクに反時計方向に排列された時目盛は１２時間制であり、且つ時間帯リングには１２個の時間帯目盛が表示してあり、各時間帯目盛は更に二つの区域に分けられ、前記区域の右側には東経（又は西経）の時間帯が順序に表示してあり、前記区域の左側には西経（又は東経）の時間帯が順序に表示してあり、上記二つの区域の時間差は１２時間であり、且つ前記区域には前記時間帯に対応する代表的な国家や都市の名称が表示してあることを特徴とする、請求項１に記載の時計装置。
【請求項３】
前記時刻表示用ディスクに反時計方向に排列された時目盛は２４時間制であり、且つ時間帯リングには２４個の時間帯目盛が表示してあり、且つ前記時間帯目盛に表示された代表的な国家や都市は対角線に位置する代表的な国家や都市と１２時間の差があることを特徴とする、請求項１に記載の時計装置。
【請求項４】
前記ハウジングの側壁には係止リングが凸設してあり、前記係止リングに時間帯リングに固定された多辺形の弾性体が係止され、時間帯リングがハウジングで旋回自在に固定されることを特徴とする、請求項１に記載の時計装置。
【請求項５】
前記時間帯リングの底面には等距離を置いた歯状を呈する多数の係り溝が設けてあり、前記ハウジングの上では弾性を持つ係止具が設けてあり、且つ前記係止具の末端は時間帯リングの何れか一つの係り溝に嵌め込むことを特徴とする、請求項４に記載の時計装置。
【請求項６】
前記時間帯リングの底面には等距離を置いた歯状を呈する多数の係り溝が設けてあり、前記ハウジングの上では弾性を持つ係止具が設けてあり、且つ前記係止具の末端は時間帯リングの何れか一つの係り溝に嵌め込むことを特徴とする、請求項１に記載の時計装置。
【請求項７】
前記時刻表示用ディスクに反時計方向に排列された時目盛は１２時間制であり、且つ時間帯リングには１２個の時間帯目盛が表示してあり、各時間帯目盛は更に二つの区域に分けられ、前記区域の内側には東経（又は西経）の時間帯が順序に表示してあり、前記区域の外側には西経（又は東経）の時間帯が順序に表示してあり、上記二つの区域の時間差は１２時間であり、且つ前記区域には前記時間帯に対応する代表的な国家や都市の名称が表示してあることを特徴とする、請求項１に記載の時計装置。
【考案の詳細な説明】
【技術分野】
【０００１】
本考案は時計装置に係り、特に、全世界の各主要な国家又は都市の相対的な時間を同時に把握できる時計装置に関するものである。
【背景技術】
【０００２】
従来の時計装置（例えば時計や腕時計）の大半は１２時間制または２４時間制を採用するが、このような時計装置で表示する時間は単一の時間帯の時間を表示するだけであり、全世界の各主要な国家又は都市の相対的な時間を同時に把握することができなく、使用者が別の時間帯に到達したときには時計装置の時間を調整することが必要であった。
【考案の開示】
【考案が解決しようとする課題】
【０００３】
本考案の主な目的は、全世界の各主要な国家又は都市の相対的な時間を同時に把握できる時計装置を提供する。
【課題を解決するための手段】
【０００４】
上記目的を達成するためになされた本願の考案は、ハウジングと、時計心部と、時刻表示用ディスクと、分針と、秒針と、秒リングと、時間帯リングと、ガラス・カバーとから構成された時計装置であって、前記時計心部はハウジング内に設置され、第一、二、三軸心はハウジングの上面に突出し時計方向へ回転し、時刻表示用ディスクと分針と秒針とがそれぞれ前記第一、二、三軸心に取付けられ、且つ前記時刻表示用ディスクには時目盛が反時計方向に順序に排列され、また、前記ハウジングの上面には秒リングと時間帯リングとが設けてあり、前記秒リングには秒目盛が表示してあり、前記時間帯リングには２４個の時間帯目盛が表示してあり、各時間帯目盛には代表的な国家や都市の名称が表示してあり、各時間帯目盛の中央には指示点が表示してあり、且つガラス・カバーがハウジングをカバーすることを特徴とする時計装置であることを要旨としている。
【０００５】
本願の考案では、前記時刻表示用ディスクに反時計方向に排列された時目盛は１２時間制であり、且つ時間帯リングには１２個の時間帯目盛が表示してあり、各時間帯目盛は更に二つの区域に分けられ、前記区域の右側には東経（又は西経）の時間帯が順序に表示してあり、前記区域の左側には西経（又は東経）の時間帯が順序に表示してあり、上記二つの区域の時間差は１２時間であり、且つ前記区域には前記時間帯に対応する代表的な国家や都市の名称が表示してあることを特徴とする請求項１に記載の時計装置であることを要旨としている。
【０００６】
本願の考案では、前記時刻表示用ディスクに反時計方向に排列された時目盛は２４時間制であり、且つ時間帯リングには２４個の時間帯目盛が表示してあり、且つ前記時間帯目盛に表示された代表的な国家や都市は対角線に位置する代表的な国家や都市と１２時間の差があることを特徴とする請求項１に記載の時計装置であることを要旨としている。
【０００７】
本願の考案では、前記ハウジングの側壁には係止リングが凸設してあり、前記係止リングに時間帯リングに固定された多辺形の弾性体が係止され、時間帯リングがハウジングで旋回自在に固定されることを特徴とする請求項１に記載の時計装置であることを要旨としている。
【０００８】
本願の考案では、前記時間帯リングの底面には等距離を置いた歯状を呈する多数の係り溝が設けてあり、前記ハウジングの上では弾性を持つ係止具が設けてあり、且つ前記係止具の末端は時間帯リングの何れか一つの係り溝に嵌め込むことを特徴とする請求項４に記載の時計装置であることを要旨としている。
【０００９】
本願の考案では、前記時間帯リングの底面には等距離を置いた歯状を呈する多数の係り溝が設けてあり、前記ハウジングの上では弾性を持つ係止具が設けてあり、且つ前記係止具の末端は時間帯リングの何れか一つの係り溝に嵌め込むことを特徴とする請求項１に記載の時計装置であることを要旨としている。
【００１０】
本願の考案では、前記時刻表示用ディスクに反時計方向に排列された時目盛は１２時間制であり、且つ時間帯リングには１２個の時間帯目盛が表示してあり、各時間帯目盛は更に二つの区域に分けられ、前記区域の内側には東経（又は西経）の時間帯が順序に表示してあり、前記区域の外側には西経（又は東経）の時間帯が順序に表示してあり、上記二つの区域の時間差は１２時間であり、且つ前記区域には前記時間帯に対応する代表的な国家や都市の名称が表示してあることを特徴とする請求項１に記載の時計装置であることを要旨としている。
【考案の効果】
【００１１】
本考案によれば、全世界の各主要な国家又は都市の相対的な時間を同時に把握できる。
【考案を実施するための最良の形態】
【００１２】
以下、添付図面を参照して本考案の好適な実施の形態を詳細に説明する。
【００１３】
まず、図１と図２に示すのは、本考案を１２時間制の時計に適用した実施例１であり、本考案に係る実施例１の時計装置は、ハウジング１と、時計心部２と、時刻表示用ディスク３と、分針４と、秒針５と、秒リング６と、時間帯リング７と、ガラス・カバー８とから構成されたものである。
【００１４】
前記時計心部２はハウジング１内に設置され、第一、二、三軸心２１，２２，２３はハウジング１の上面に突出し時計方向へ回転し、時刻表示用ディスク３と分針４と秒針５とがそれぞれ前記第一、二、三軸心２１，２２，２３に取付けられ、且つ前記時刻表示用ディスク３には１２時間制の時目盛３１が反時計方向に順序に排列され、また、前記ハウジング１の上面には秒リング６と時間帯リング７とが設けてあり、前記秒リング６には秒目盛６１が表示してあり、前記時間帯リング７には１２個の時間帯目盛７１が表示してあり、各時間帯目盛７１は更に二つの区域７１１，７１２に分けられ、前記区域の右側には東経（又は西経）の時間帯が順序に表示してあり、前記区域の左側には西経（又は東経）の時間帯が順序に表示してあり、上記二つの区域７１１，７１２の時間差は１２時間であり（例えば東経１２０Ｅ、西経６０Ｗ）、且つ前記区域７１１，７１２には前記時間帯に対応する代表的な国家や都市の名称が表示してある各時間帯目盛７１には代表的な国家や都市の名称７２が表示してあり、各時間帯目盛７１の中央には相対な時間を表示するための指示点７３が表示してあり、且つガラス・カバー８がハウジング１をカバーする。このようにして、全世界の各主要な国家又は都市の相対的な時間を同時に把握できる時計装置が完成した。
【００１５】
また、時刻表示用ディスク３を旋回して時間帯リング７での各時間帯目盛７１の指示点７３に対応させて、時間帯リング７での各区域７１１，７１２に表示された代表的な国家や都市名７２に参照すると、時間帯リング７での代表的な国家や都市の相対的な時間を同時に把握することができる。
【００１６】
また、図３に示すのは、本考案を２４時間制の時計に適用した実施例２であり、本考案に係る実施例２と実施例１との異なる点は、時刻表示用ディスク３´に反時計方向に排列された時目盛３１´は２４時間制であり、且つ時間帯リング７´には２４個の時間帯目盛７１´が表示してあり、各時間帯目盛７１´には代表的な国家や都市の名称７２が表示してあり、各時間帯目盛７１´の中央には相対な時間を表示するための指示点７３´が表示してあり、そして前記時間帯目盛７１´に表示された代表的な国家や都市は対角線に位置する代表的な国家や都市と１２時間の差がある。
【００１７】
また、図４乃至図７に示すのは、本考案を１２時間制の時計に適用した実施例３であり、本考案に係る実施例３の時計装置は、ハウジング１と、時計心部２と、時刻表示用ディスク３と、分針４と、秒針５と、秒リング６と、時間帯リング７と、ガラス・カバー８とから構成されたものである。
【００１８】
前記時計心部２はハウジング１内に設置され、第一、二、三軸心２１，２２，２３はハウジング１の上面に突出し時計方向へ回転し、時刻表示用ディスク３と分針４と秒針５とがそれぞれ前記第一、二、三軸心２１，２２，２３に取付けられ、且つ前記時刻表示用ディスク３には１２時間制の時目盛３１が反時計方向に順序に排列され、また、前記ハウジング１の上面には秒リング６が設けてあり、前記秒リング６には秒目盛６１が表示してあり、また、前記ハウジング１の側壁には係止リング１１が凸設してあり、前記係止リング１１に時間帯リング７に固定された多辺形の弾性体７５が係止され、時間帯リング７がハウジング１で旋回自在に固定され、前記時間帯リング７には１２個の時間帯目盛７１が表示してあり、各時間帯目盛７１は更に二つの区域７１１，７１２に分けられ、前記区域の内側には東経（又は西経）の時間帯が順序に表示してあり、前記区域の外側には西経（又は東経）の時間帯が順序に表示してあり、上記二つの区域７１１，７１２の時間差は１２時間であり（例えば東経１２０Ｅ、西経６０Ｗ）、且つ前記区域７１１，７１２には前記時間帯に対応する代表的な国家や都市の名称７２が表示してあり、また、各時間帯目盛７１の中央には相対な時間を表示するための指示点７３が表示してあり、そうすると、全世界の各主要な国家又は都市の相対的な時間を同時に把握でき、また、前記時間帯リング７の底面には等距離を置いた歯状を呈する多数の係り溝７４が設けてあり、前記ハウジング１の上では弾性を持つ係止具１２が設けてあり、且つ前記係止具１２の末端は時間帯リング７の何れか一つの係り溝７４に嵌め込むことにより、時間帯リング７は旋回された後に係止され、使用者は時間帯リング７を使用者が位置している国家又は都市の名称７２の上方までに調整し、且つガラス・カバー８がハウジング１をカバーし、そうすると、全世界の各主要な国家又は都市の相対的な時間を同時に把握できる時計装置が完成した。
【００１９】
もちろん、上記技術は２４時間制の時計にも適用でき、すなわち、時刻表示用ディスク３´に反時計方向に排列された時目盛３１´は２４時間制であり、且つ時間帯リング７´には２４個の時間帯目盛７１´が表示してあり、各時間帯目盛７１´には代表的な国家や都市の名称７２が表示してあり、各時間帯目盛７１´の中央には相対な時間を表示するための指示点７３´が表示してあり、そして前記時間帯目盛７１´に表示された代表的な国家や都市は対角線に位置する代表的な国家や都市と１２時間の差がある。
【００２０】
上記説明から明らかなように、時刻表示用ディスク３を旋回して時間帯リング７での各時間帯目盛７１の指示点７３に対応させて、時間帯リング７での各区域７１１，７１２に表示された代表的な国家や都市名７２に参照すると、時間帯リング７での代表的な国家や都市の相対的な時間を同時に把握することができ、だから、本考案に係る時計装置は、使用が極めて容易で便利であり、その構造も極めて簡潔である。
【図面の簡単な説明】
【００２１】
【図１】本考案に係る実施例１の正面図である。
【図２】本考案に係る実施例１の側面断面図である。
【図３】本考案に係る実施例２の正面図である。
【図４】本考案に係る実施例３の分解斜視図である。
【図５】本考案に係る実施例３の正面図である。
【図６】本考案に係る実施例３の正面断面図である。
【図７】本考案に係る実施例３の側面断面図である。
【符号の説明】
【００２２】
１        ハウジング                １１      係止リング
１２      係止具                    ２        時計心部
２１      第一軸心                  ２２      第二軸心
２３      第三軸心                  ３        時刻表示用ディスク
３´      時刻表示用ディスク        ３１      時目盛
３１´    時目盛                    ４        分針
５        秒針                      ６        秒リング
６１      秒目盛                    ７        時間帯リング
７´      時間帯リング              ７１      時間帯目盛
７１´    時間帯目盛                ７１１    区域
７１２    区域                      ７２      国家や都市名
７２´    国家や都市名              ７３      指示点
７３´    指示点                    ７４      係り溝
７５      弾性体
【図１】
0003112584.tif 000003
【図２】
0003112584.tif 000004
【図３】
0003112584.tif 000005
【図４】
0003112584.tif 000006
【図５】
0003112584.tif 000007
【図６】
0003112584.tif 000008
【図７】
0003112584.tif 000009